(57)【要約】  【課題】ヘッドバンドを有さない耳掛式のヘッドホンにおいても同様に保温部材を取り付けることができ、しかも、装着時に耳が折れ曲がって脱落してしまうことのない耳掛式のヘッドホンを提供する。  【解決手段】スピーカ７を取り付けたハウジング４と、このハウジング４を耳の表側に位置させるように耳の後ろの外周部を沿って掛けられる耳掛部材３とを具備してなるヘッドホン１において、耳全体を覆う保温部材６を有するカバー体５を前記ハウジング４に着脱可能に取り付けるようにする。また、このカバー体５は、スピーカ７の裏面側を覆う湾曲形状とする。そして、耳掛部材３の基端３０を支点とした場合、耳掛部材３を耳に装着させる側に回転モーメントを働かせるように重心位置Ｇを設定して、その回転モーメントによってヘッドホン１をしっかりと耳に固定できるようにする。  【選択図】  図１
2006222499.tif 000002
【特許請求の範囲】
【請求項１】
スピーカを取り付けたハウジングと、当該ハウジングを耳の表側に位置させるように耳の外周部に沿って掛けられる耳掛部材とを具備してなるヘッドホンにおいて、
耳全体を覆う保温部材を有する着脱部材を前記ハウジングに対して着脱可能に取り付けたことを特徴とする耳掛式のヘッドホン。
【請求項２】
前記着脱部材が、スピーカの裏面側を覆うカバー体で構成されたものである請求項１に記載の耳掛式のヘッドホン。
【請求項３】
前記保温部材が、スピーカに接続されるコードを内側に通せるような素材もしくは構造を有するものである請求項１に記載の耳掛式のヘッドホン。
【請求項４】
前記保温部材が、耳掛部材とハウジングの接続位置を支点として、耳掛部材を耳の装着方向に回転モーメントを働かせるように取り付けられるものである請求項１に記載の耳掛式のヘッドホン。
【発明の詳細な説明】
【技術分野】
【０００１】
本発明は、耳の外周部に沿って掛けられる耳掛式のヘッドホンに関するものであり、より詳しくは、寒い季節などに耳全体を保温できるようにしたヘッドホンに関するものである。
【背景技術】
【０００２】
従来より、ヘッドホンに関しては、頭部の上方にヘッドバンドを巻き付けるタイプのヘッドホンや、頭部の後方にヘッドバンドを巻き付けるタイプのヘッドホン、もしくは、ハンガーなどと称される耳掛部材を耳の外周部に掛けて装着するタイプのヘッドホン（以下、「耳掛式のヘッドホン」と称する）など、多種多様のものが存在している。
【０００３】
このうち、寒い季節に耳を保温できるようにした保温機能付きのヘッドホンとしては、下記の特許文献１などに記載されるようなものなどが存在する。
【０００４】
この特許文献１に記載される保温機能付きのヘッドホンは、ヘッドバンド式のヘッドホンであって、そのヘッドバンドの先端部分に耳全体を被覆する保温部材を取り付け、そのヘッドバンドの挟み込み力によって耳全体を保温できるようにしたものである。
【特許文献１】特許公表２００４−５１１９９１公報
【発明の開示】
【発明が解決しようとする課題】
【０００５】
しかしながら、この保温機能付きのヘッドホンは、ヘッドバンドの挟み込み力で耳に保温部材を被せるものであるため、ヘッドバンドを有さない耳掛式のヘッドホンには適用することはできない。このため、耳掛式のヘッドホンにも保温部材を取り付けるべく、ヘッドバンドに対応する耳掛部材に保温部材を取り付けるようにすると、耳と頭部との間に保温部材が挟まってしまい、耳が折れ曲がってヘッドホンが脱落してしまう。
【０００６】
そこで、本発明は、上記課題に着目してなされたもので、ヘッドバンドを有さない耳掛式のヘッドホンにおいても同様に保温部材を取り付けることができ、しかも、装着時に耳が折れ曲がらないようにして、しっかりと装着することのできる耳掛式のヘッドホンを提供することを目的とするものである。
【課題を解決するための手段】
【０００７】
すなわち、本発明は上記課題を解決するために、スピーカを取り付けたハウジングと、当該ハウジングを耳の表側に位置させるように耳の後ろの外周部に沿って掛けられる耳掛部材とを具備してなるヘッドホンにおいて、耳全体を覆う保温部材を有する着脱部材を前記ハウジングに対して着脱可能に取り付けるようにしたものである。
【０００８】
このようにすれば、耳の表側に位置するハウジングに保温部材を取り付けるため、保温部材を耳と頭部との間の耳掛部材に取り付ける場合のように耳を折り曲げてしまうというようなことがなくなり、ヘッドホンの脱落を防止することができる。また、保温部材を取り付けた際における耳の後ろに違和感を生じさせることもなくなる。更には、このような保温部材をハウジングに対して着脱可能に取り付けるようにしているため、寒い季節には保温部材を取り付け、また、暖かい季節には保温部材を取り外して使用することができる。
【０００９】
また、このような発明において、着脱部材を、スピーカの裏面側を覆うカバー体で構成する。
【００１０】
このように構成すれば、スピーカから出力される音をカバー体や保温部材で吸収することができるため、外部への音漏れを防止することができるようになる。
【００１１】
更には、このような保温部材として、スピーカに接続されるコードを内側に通せるような素材もしくは構造を用いる。
【００１２】
通常、耳掛式のヘッドホンの上から保温部材を被せると、その保温部材によってヘッドホンのコードが顔へ押し付けられてしまい、その部分に違和感を生じさせてしまうことになる。しかしながら、このように保温部材の内側にコードを通せるような素材もしくは構造を採用すれば、コードを顔に押し付けてしまうというようなことがなくなり、違和感を生じさせるようなことがなくなる。
【００１３】
加えて、保温部材を装着する場合に、その重心位置などによって耳掛部材を耳の装着方向に回転モーメントを働かせるようにする。
【００１４】
一般的に、耳掛部材は、耳の外周に沿って回転させて取り付けられるが、その保温部材を取り付ける際、装着方向と逆方向に回転モーメントを生じさせてしまえば、ヘッドホンが耳から脱落してしまう。しかしながら、このように装着方向に回転モーメントを働かせるように重心位置などを設定すれば、その回転モーメントによってヘッドホンをしっかりと耳に固定することができるようになる。
【発明の効果】
【００１５】
本発明では、スピーカを取り付けたハウジングと、当該ハウジングを耳の表側に位置させるように耳の外周部に沿って掛けられる耳掛部材とを具備してなるヘッドホンにおいて、耳全体を覆う保温部材を有する着脱部材を前記ハウジングに対して着脱可能に取り付けるようにしたので、保温部材を耳と頭部との間の耳掛部材に取り付ける場合などのように耳を折り曲げてしまうというようなことがなくなり、ヘッドホンの脱落を防止することができる。また、保温部材を取り付けた際における耳の後ろに違和感を生じさせることもなくなる。更には、このような保温部材を取り外しできるようにしているため、寒い季節には保温部材を取り付け、また、暖かい季節には保温部材を取り外して使用することができる。
【発明を実施するための最良の形態】
【００１６】
以下、本発明における一実施の形態について図面を参照して説明する。図１は、本実施の形態におけるヘッドホン１の分解斜視図を示したものであり、図２は、ヘッドホン１を組み立てた状態を示したものである。また、図３は、図１におけるＡ−Ａ断面図を示したものである。図４は、このヘッドホン１の装着状態を示したものであって、それぞれ冬季における使用状態（図４（ａ））と夏季における使用状態（図４（ｂ））を示したものである。
【００１７】
本実施の形態におけるヘッドホン１は、一般に広く知られている耳掛式のヘッドホン１であって、ＣＤプレーヤやＭＤプレーヤなどの音声出力装置に差し込まれるプラグ２０（図４参照）と、そのプラグ２０から延出されるコード２１と、そのコード２１の先端側に接続される一対のスピーカユニット１０ａを設けて構成される。なお図１から図４では、右耳用のスピーカユニット１０ａを図示している。そして、それぞれのスピーカユニット１０ａは、聴取者の耳の外周部に沿って掛けられるハンガー状の耳掛部材３と、その耳掛部材３の基端３０側に接続されるハウジング４と、このハウジング４に取り付けられ、音を出力するスピーカ７と、そのハウジング４におけるスピーカ７と反対側に着脱可能に取り付けられるカバー体５とを設けて構成され、本実施の形態では、そのカバー体５に保温部材６を一体的に取り付けている。そして、図４（ａ）に示すように、冬季などの寒い季節にはその保温部材６付きのカバー体５を取り付け、また、図４（ｂ）に示すように、夏季などの暖かい季節には保温部材６を有していないカバー体５を取り付けるようにしている。
【００１８】
このヘッドホン１に用いられるプラグ２０としては、ステレオ音源を再生する場合は、例えば、３極の電極部を有するものが使用される。このプラグ２０から延出されるコード２１の端部は、左右一対のいずれか一方のスピーカユニット１０ａ（本実施の形態では右耳用の第一のスピーカユニット１０ａ）のスピーカ７に接続され、また、その第一のスピーカユニット１０ａから第二のコード２１ａを介して、他方の第二のスピーカユニット１０ａに接続される。この第二のコード２１ａは、聴取者の首の後ろ部分を周回するもので、首への接触感を良くするために、その表面に不織布などのケーブルカバー２１ｂを取り付けている。
【００１９】
左右のスピーカユニット１０ａを構成するハウジング４は、比較的硬質な合成樹脂などによって形成され、中央に凸部４０を有するほぼ円形形状に構成される。また、このハウジング４の内側には、スピーカ７が取り付けられる。また、このスピーカ７を取り付けた状態で、ハウジング４とスピーカ７を包み込むようなイヤーバッド８が取り付けられる。このイヤーバッド８は、ハウジング４のつば状の外周部分であるフランジ部４１を巻き込むようにして取り付けられる。
【００２０】
左右のハウジング４には、耳の外周部に沿って掛けられる耳掛部材３が取り付けられる。この耳掛部材３は、比較的しなやかな樹脂などによって湾曲状に形成されるもので、例えば、ポリプロピレン（ＰＰ）やポリブチレンテレフタレート（ＰＢＴ）、ポリアセタール（ＰＯＭ）等の樹脂によって成形される。そして、この耳掛部材３の基端３０側を、ハウジング４の凸部４０に回動可能に取り付け、他端側である自由端３１側を耳の後ろ側に位置させる。この耳掛部材３を耳の後ろの外周部分に取り付ける場合は、まず、ハウジング４を耳の中央に押し当てて位置決めし、耳を折り曲げながら耳掛部材３を耳の後ろ部分に当てる。そして、そのハウジング４を右耳用であれば左回転方向に、左耳であれば右回転方向に、すなわち装着方向に回転させて、ちょうど良い位置に耳掛部材３を位置させる。
【００２１】
そして、保温部材６を有するカバー体５をハウジング４に取り付ける。以下、その保温部材６を有するカバー体５の取り付け構造などについて説明する。なお、右耳用と左耳用のハウジング４は、それぞれ同じ構造を有しているので、一方のハウジング４及びカバー体５を用いて説明する。
【００２２】
前述の通り、ハウジング４は凸部４０とフランジ部４１を有する円形形状をなすもので、その凸部４０の裏側に形成された凹部４０ｃ（図３参照）にスピーカ７を取り付けるようにしている。このスピーカ７は凹部４０ｃに対して接着や、若しくは、そのスピーカ７の外周部に設けられた爪部７０などによって係合される。また、このスピーカ７にはコード２１が接続されており、このコード２１を、ハウジング４の凸部４０側面に設けられたコード挿通用切欠部４０ａを介して外部に延出できるようにしている。
【００２３】
ハウジング４の凸部４０の側面には、コード挿通用切欠部４０ａ以外に、複数の切欠孔４０ｂを設けている。そして、この切欠孔４０ｂに対応するカバー体５の位置に爪部５０を設け、これら切欠孔４０ｂとカバー体５を係合させることによって、カバー体５をハウジング４に着脱可能に取り付ける。
【００２４】
このカバー体５は、スピーカ７の裏面側を覆うような湾曲形状をなすもので、その湾曲部分の外側に、耳全体を保温するための保温部材６を取り付けている。この保温部材６は、耳の外周部を覆う大きさを有し、また、耳の外周部近傍における頭部や頬などに接触しうる素材で構成される。このような素材としては、例えば、毛足の長い動物の毛皮やフリース地などのように比較的軽くて柔らかで保温性を有するものが用いられる。そして、この毛皮の毛の隙間などにスピーカ７からのコード２１を収め、コード２１を頬に押し付けないようにしている。
【００２５】
このような保温部材６付きのカバー体５は、冬季などのように比較的寒い季節に用いられる。また、夏季などのように比較的暑い季節については、保温部材６を有していないカバー体５を別途用意しておき、これを取り付けられるようにしている。このようにすることにより、寒い季節には耳全体を保温することができ、暑い季節にはそのカバー体５を取り外して保温部材６のないカバー体５を取り付けることができる。
【００２６】
この保温部材６付きのカバー体５は、図４（ａ）に示すように、ハウジング４に装着した状態でヘッドホン１の装着方向に回転モーメントを与えるような重心位置Ｇに設定される。具体的には、耳掛部材３とハウジング４との接続部分である基端３０を支点とした場合、耳掛部材３の自由端３１に近い側に重心が位置するように設定される。このようにすれば、保温部材６を取り付けたカバー体５が装着された場合であっても、耳掛部材３の基端３０を支点として自由端３１側に回転モーメントが働き、耳掛部材３を耳の後ろの外周部にしっかりと固定することができる。このような重心位置Ｇの設定の方法としては、カバー体５に錘を取り付けて重心位置Ｇを設定する方法や、保温部材６の重みによって重心位置Ｇを設定する方法などが考えられる。
【００２７】
このように上記実施の形態においては、スピーカ７を取り付けたハウジング４と、当該ハウジング４を耳の表側に位置させるように耳の後ろの外周部を沿って掛けられる耳掛部材３とを具備してなるヘッドホン１において、耳全体を覆う保温部材６を有するカバー体５を前記ハウジング４に着脱可能に取り付けるようにしたので、保温部材６を有するカバー体５をハウジング４に取り付けるだけで耳全体を保温することができるようになる。しかも、耳の表側に装着されるハウジング４に保温部材６を取り付けるようにしているので、耳の後ろを周回する耳掛部材３に保温部材６を取り付ける場合のように、耳を折り曲げてしまってヘッドホン１を脱落させてしまうようなことや、耳と頭部との間に大きな異物が挟まって違和感を生じさせるなどといった不具合を防止することができる。更には、このような保温部材６をハウジング４に着脱できるようにしているため、寒い季節には保温部材６を取り付け、また、暖かい季節には保温部材６を取り外して使用することができる。
【００２８】
また、上記実施の形態においては、着脱部材を、スピーカ７の裏面側を覆うカバー体５で構成したので、スピーカ７から出力される音をカバー体５や保温部材６で吸収することができ、外部への音漏れを防止して他人への迷惑防止を図ることができる。
【００２９】
更に、このような保温部材６として、スピーカ７に接続されるコード２１を内側に通せるような毛皮などを採用したので、コード２１を頬に押し付けてしまうということがなく、装着時の違和感をなくすことができるようになる。
【００３０】
加えて、耳掛部材３の基端３０を支点とした場合、耳掛部材３を耳に装着させる側に回転モーメントを働かせるように重心位置Ｇを設定するようにしたので、その回転モーメントによってヘッドホン１をしっかりと耳に固定することができるようになる。
【００３１】
なお、本発明は上記実施の形態に限定されることなく、種々の態様で実施することができる。
【００３２】
例えば、上記実施の形態では、凸部４０の側面部分に切欠孔４０ｂを設け、その切欠孔４０ｂにカバー体５の爪部５０を係合させるようにしているが、これに限らず、凸部４０の上面などに切欠孔などを設け、その切欠孔にカバー体５の爪部を係合させるようにしても良い。
【００３３】
また、上記実施の形態では、保温部材６として動物の毛皮やフリース地を用いた例を説明したが、これに限らず、耳全体を外気から遮断し、耳全体を保温できるようなものであれば、どのような素材のものを用いても良い。但し、比較的硬い素材を用いる場合は、保温部材６によってコード２１を頬に押し付けてしまう可能性があるため、その保温部材６にコード挿通用切欠部などを設けてコード２１を頬から退避させるようにすると良い。
【００３４】
更に、上記実施の形態においては、カバー体５を介して保温部材６をハウジング４に取り付けているが、これに限らず、例えば、フックなどの係合手段を介してハウジング４に取り付けるようにしても良い。
【図面の簡単な説明】
【００３５】
【図１】本発明の一実施の形態におけるスピーカユニットの分解斜視図
【図２】同形態における保温部材のないカバー体と取り付ける状態を示す分解斜視図
【図３】同形態における保温部材付きカバー体を取り付けたヘッドホンの装着例を示す図
【図４】同形態における保温部材のないカバー体を取り付けたヘッドホンの装着例を示す図
【符号の説明】
【００３６】
１・・・ヘッドホン
１０ａ・・・スピーカユニット
２０・・・プラグ
２１・・・コード
２１ａ・・・第二のコード
２１ｂ・・・ケーブルカバー
３・・・耳掛部材
３０・・・一端側（支点）
３１・・・自由端側
４・・・ハウジング
４０・・・凸部
４０ａ・・・コード挿通用切欠部
４０ｂ・・・切欠孔
４１・・・フランジ部
５・・・カバー体
５０・・・爪部
６・・・保温部材
７・・・スピーカ
８・・・イヤーパッド
Ｇ・・・重心位置
【図１】
2006222499.tif 000003
【図２】
2006222499.tif 000004
【図３】
2006222499.tif 000005
【図４】
2006222499.tif 000006